(57)【要約】【課題】発熱線で発生した熱をベースに効率よく伝導し、ベースの温度を検知して発熱線への通電を制御するサーモスタットの動作に十分に追従して、ベースの温度を所定の温度に保持することができ、布地のしわ伸ばし効果を向上させることを目的とする。【解決手段】発熱線を絶縁芯板に巻き付けたヒータ巻き部を挟み込むように両側に絶縁側板を配設することで構成したヒータ部と、前記ヒータ部を取り付けたベースと、前記ベースの温度を検知して前記発熱線への通電を制御するサーモスタットを具備し、前記ヒータ巻き部を挟み込む両側の絶縁側板のうち、ベース側の絶縁側板の厚みをもう一方の絶縁側板の厚みよりも薄くしたことにより、ベースの温度低下を防ぐとともに、布地のしわ伸ばしの仕上がりを向上することができるようにしたものである。【選択図】  図２
2004305479.tif 000002
【特許請求の範囲】
【請求項１】
発熱線を絶縁芯板に巻き付けたヒータ巻き部を挟み込むように両側に絶縁側板を配設することで構成したヒータ部と、前記ヒータ部を取り付けたベースと、前記ベースの温度を検知して前記発熱線への通電を制御するサーモスタットを具備し、前記ヒータ巻き部を挟み込む両側の絶縁側板のうち、ベース側の絶縁側板の厚みをもう一方の絶縁側板の厚みよりも薄くしたことを特徴とするアイロン。
【発明の詳細な説明】
【０００１】
【発明の属する技術分野】
本発明は、布地のしわ伸ばしに使用するアイロンに関するものである。
【０００２】
【従来の技術】
従来、この種のアイロンは、発熱線を絶縁板に巻き付け、更にその発熱線を上側の絶縁板と下側の絶縁板とで挟着して構成した面状ヒータをベースの上に取り付け、この面上ヒータの上方に、前記発熱線の熱を検知して発熱線の通電をオンオフ制御することによりベースの温度を設定温度に保つサーモスタットを設けたアイロンにおいて、前記挟着した上側の絶縁板の厚みを下側の絶縁板の厚みよりも薄くしたもので構成していた。そして、アイロンの使用時には、温度設定を行い、サーモスタットを通して発熱線に通電が行われ、通電に応じて発熱線が発熱し、この熱が下側の絶縁板を通してベースに伝導し、ベースが加熱されるようになっていた。（例えば特許文献１参照）
【０００３】
【特許文献１】
特開平８−９９０００号公報（図１、図３）
【０００４】
【発明が解決しようとする課題】
しかしながら、このような従来の構成では、下側、つまりベース側の絶縁板の厚みが厚いために発熱線で発生した熱がベースに伝わりにくく、アイロンがけ時に布地にベースの熱が奪われ、ベースの温度が急に低下してしまい、発熱線の発熱を検知して発熱線の通電をオンオフしても、発熱線で発生した熱が的確にベースに伝わらず、図４のようにベースは低い温度での制御となってしまうという課題があった。
【０００５】
本発明は、上記課題を解決するもので、ベースの温度低下を抑え、しわ伸ばしの仕上がりを良くすることを目的としている。
【０００６】
【課題を解決するための手段】
本発明は上記目的を達成するために、発熱線を絶縁芯板に巻き付けたヒータ巻き部を挟み込むように両側に絶縁側板を配設することで構成したヒータ部と、前記ヒータ部を取り付けたベースと、前記ベースの温度を検知して前記発熱線への通電を制御するサーモスタットを具備し、前記ヒータ巻き部を挟み込む両側の絶縁側板のうち、ベース側の絶縁側板の厚みをもう一方の絶縁側板の厚みよりも薄くしたことにより、ベースの温度低下を防ぐとともに、布地のしわ伸ばしの仕上がりを向上することができるようにしたものである。
【０００７】
【発明の実施の形態】
本発明は、発熱線を絶縁芯板に巻き付けたヒータ巻き部を挟み込むように両側に絶縁側板を配設することで構成したヒータ部と、前記ヒータ部を取り付けたベースと、前記ベースの温度を検知して前記発熱線への通電を制御するサーモスタットを具備し、前記ヒータ巻き部を挟み込む両側の絶縁側板のうち、ベース側の絶縁側板の厚みをもう一方の絶縁側板の厚みよりも薄くしたもので、発熱線で発生した熱が薄い絶縁側板を通じて、ベースに効率よく伝導し、ベースの温度を検知して発熱線への通電をオンオフするサーモスタットの動作に十分に追従して、ベースの温度を所定の温度に保持することができ、布地のしわ伸ばし効果を向上させることができる。
【０００８】
【実施例】
以下、本発明の実施例について、図面を参照して説明する。
【０００９】
（実施例１）
図１〜図２に示すように、１はアルミニウム等の金属よりなるベース、２はヒータ部で、マイカ等の絶縁物からなる絶縁芯板３に発熱線４を巻き付けたヒータ巻き部５をマイカ等の絶縁物よりなる上側の絶縁側板６と下側の絶縁側板７とで挟み込んだものである。ヒータ部２はベース１に取り付けられ、ベース１の上にヒータ部２が配設されることになり、ベース１、絶縁側板７、ヒータ巻き部５、絶縁側板６の順に積み上げられ、その上にヒータ押さえ板８を構成している。
【００１０】
そして、前記ベースには、ベースへの加熱温度を制御するサーモスタット９が直付けされており、さらにベースの温度が所定温度（ａ）以上に上昇した場合に電力の供給を絶つ温度ヒューズ１０が備えられている。
【００１１】
上記構成において動作を説明すると、アイロンに通電を行うと、サーモスタットを通して通電され、ヒータ部２の発熱線４が発熱し、この熱が下側の絶縁側板７を通してベース１に伝導し、ベース１が加熱される。
【００１２】
そして、サーモスタット９はベース１に直付けされて配設されているため、発熱線４の発熱により熱せられたベース１の温度を効率良く検知し、この検知した温度が所定の温度（ｂ）に到達したときに発熱線４への通電をオフし、また検知した温度が所定の温度（ｃ）以下になったときに発熱線４への通電を回復させ、発熱線４が発熱しベースの温度が上昇する。このようなサーモスタットの制御でベース１の温度を所定の温度の範囲内に保持することができ、布地へのアイロンがけが可能となる。
【００１３】
ここで、下側の絶縁側板７が上側の絶縁側板６よりも薄いために、発熱線４で発生した熱が絶縁側板７を通して、すばやくベース１に伝導する。
【００１４】
したがって、アイロンがけ時に冷えた布地の上をベース１が通過した際に、ベース１の熱が奪われ、ベース１の温度が低下した場合でも、サーモスタット９がベース１の温度低下を検知して、発熱線４への通電をオンし、発熱線４で発生した熱がすばやくベース１に伝わることになり、ベース１の温度低下を最小限に食い止めることができ、図３のようにベース１の温度変化を少なくすることができる。
【００１５】
また、サーモスタット９はベース１に直付けされているため、ベース１の温度を遅滞なく検出できるので、より効率良く、かつきめ細かなベースの温度制御が可能となる。
【００１６】
【発明の効果】
以上のように本発明によれば、発熱線を絶縁芯板に巻き付けたヒータ巻き部を挟み込むように両側に絶縁側板を配設することで構成したヒータ部と、前記ヒータ部を取り付けたベースと、前記ベースの温度を検知して前記発熱線への通電を制御するサーモスタットを具備し、前記ヒータ巻き部を挟み込む両側の絶縁側板のうち、ベース側の絶縁側板の厚みをもう一方の絶縁側板の厚みよりも薄くしたことで、ベースの温度変化を少なくすることが可能となり、安定した温度特性が得られ、アイロンがけの仕上がりが向上する。
【図面の簡単な説明】
【図１】本発明のアイロンの一実施例の断面図
【図２】同アイロンのヒータ部の部分断面図
【図３】同アイロンの温度特性図
【図４】従来のアイロンの温度特性図
【符号の説明】
１  ベース
２  ヒータ部
３  絶縁芯板
４  発熱線
５  ヒータ巻き部
６、７  絶縁側板
９  サーモスタット
【図１】
2004305479.tif 000003
【図２】
2004305479.tif 000004
【図３】
2004305479.tif 000005
【図４】
2004305479.tif 000006